(57)【要約】【課題】排水の流路を確保し、良好な排水能力を長期間維持することができるヘアキャッチャーの取付け構造を提供する。【解決手段】ケレップ５の中心から垂下した軸芯６に摺動自在に軸着されるヘアキャッチャーＡを排水口７に取付ける構造であって、該ヘアキャッチャーＡは、上記軸芯６が挿通する筒軸４とこの筒軸４に放射状に設けられた捕集リブ１とフランジ部２と係止部３とからなり、該捕集リブ１は、中心部から外周方向に向かって下方に傾斜する傾斜部１１と垂直部１２とからなるとともに、上記軸芯６の下端には錘５２が垂設される。【選択図】図３
2005336780.tif 000002
【特許請求の範囲】
【請求項１】
ケレップの中心から垂下した軸芯に摺動自在に軸着されるヘアキャッチャーを排水口に取付ける構造であって、該ヘアキャッチャーは、上記軸芯が挿通する筒軸とこの筒軸に放射状に設けられた捕集リブとフランジ部と係止部とからなり、該捕集リブは、中心部から外周方向に向かって下方に傾斜する傾斜部と垂直部とからなるとともに、上記軸芯の下端には錘が垂設されたヘアキャッチャーの取付け構造。
【請求項２】
上記ケレップの排水口嵌入部の外周にはシール用パッキンが設けられた請求項１に記載のヘアキャッチャーの取付け構造。
【請求項３】
上記ヘアキャッチャーの係止部が係合するストッパーが排水口管の内部に周設された請求項１に記載のヘアキャッチャーの取付け構造。
【請求項４】
上記錘の下面には上記ケレップの開閉操作を伝達するレリーズワイヤが接続された請求項１に記載のヘアキャッチャーの取付け構造。
【発明の詳細な説明】
【技術分野】
【０００１】
本発明はヘアキャッチャーに関する。さらに詳しくは、ケレップから垂下した軸芯に軸着されるヘアキャッチャーを洗面ボウル等の排水口に取付ける構造に関する。
【背景技術】
【０００２】
従来から、洗面ボウル等に落ちた毛髪やごみ等を捕集し、かつ、コンタクトレンズや指輪等の貴重品が排水とともに流れ落ちるのを防ぐため、排水口に開閉自在に嵌着されるケレップにヘアキャッチャーを摺動自在に軸着させ、このようにされたヘアキャッチャーを排水口に取付けることが行なわれている。
【特許文献１】特開平１０−８８６３８号公報（第１−３頁、第１図）
【発明の開示】
【発明が解決しようとする課題】
【０００３】
上記第１図には、毛髪やごみ等を捕集する捕集リブを放射状に設けるとともに、上記捕集リブの上面を中心側から外周に向かって下がるように全体を傘状に傾斜させたヘアキャッチャーが開示されている。上記ヘアキャッチャーは排水口に取付けられ、排水中の毛髪やごみ等は捕集リブの傾斜に沿って堆積するが、経時的に目詰まりが生じるため、開口部が塞がれて排水の流れが悪くなるとともに、痰等が絡んで不衛生となるという問題が生じる。本発明はこのような問題を解決して、捕集リブの開口部に毛髪やごみ等が堆積することを防ぐとともに、排水の流路を確保し、良好な排水能力を長期間維持することができるヘアキャッチャーの取付け構造を提供することを、その課題とする。
【課題を解決するための手段】
【０００４】
本発明は、上記課題を解決するために考え出されたものであって、つぎのような技術的手段を講じている。すなわち、本発明によれば、ケレップの中心から垂下した軸芯に摺動自在に軸着されるヘアキャッチャーを排水口に取付ける構造であって、該ヘアキャッチャーは、上記軸芯が挿通する筒軸とこの筒軸に放射状に設けられた捕集リブとフランジ部と係止部とからなり、該捕集リブは、中心部から外周方向に向かって下方に傾斜する傾斜部と垂直部とからなるとともに、上記軸芯の下端には錘が垂設されたヘアキャッチャーの取付け構造が提供される。
【０００５】
上記ケレップの排水口嵌入部の外周にはシール用パッキンが設けられることが好ましい。シール用パッキンとしては、とくに限定されるものではないが、水密性、耐久性等の面から合成ゴム製のＯリングが好ましく用いられる。また、ヘアキャッチャーの係止部が係合するストッパーが排水口管の内部に周設されることが好ましい。上記ストッパーは、通常、排水口管の内壁に周設された突起部とされる。
【０００６】
上記錘の下面には上記ケレップの開閉操作を伝達するレリーズワイヤが接続されることが好ましい。レリーズワイヤとしてはとくに限定されず、例えば、外管とインナーワイヤとからなり、インナーワイヤの端部を操作つまみで操作する公知の形式のものが用いられる。
【発明の効果】
【０００７】
請求項１に記載の発明は上記のとおりであり、該ヘアキャッチャーは、ケレップの軸芯が挿通する筒軸とこの筒軸に放射状に設けられた捕集リブとフランジ部と係止部とからなり、該捕集リブは、中心部から外周方向に向かって下方に傾斜する傾斜部と垂直部とからなるため、捕集された毛髪やごみ等は、傾斜部の傾斜面に沿って滑り落ち、垂直部に沿って下がるとともに、フランジ部の上面に堆積するため、捕集リブの排水用開口部が塞がれることがなく、毛髪やごみ等の捕集率を下げずに十分に排水能力を確保することができる。
【０００８】
上記ケレップの排水口嵌入部の外周にはシール用パッキンが周設されているため、水が洩れることなく、効率よく洗面ボウルに水を溜め、洗顔、洗髪等を行なうことができる。また、上記ヘアキャッチャーの係止部が係合するストッパーが排水口管の内部に周設されているため、錘の重さによって下方に引っ張られたヘアキャッチャーを、しっかりと排水口に取付けることができる。
【０００９】
上記錘の下面には上記ケレップの開閉操作を伝達するレリーズワイヤが接続されているため、洗面ボウルのカウンターに設けられた操作つまみを操作することにより、インナーワイヤを動作させ、ケレップの開閉操作を簡単に行なうことができる。
【発明を実施するための最良の形態】
【００１０】
以下、本発明にかかるヘアキャッチャーの取付け構造の実施形態について図面を参照して、詳細に説明する。図１は、ヘアキャッチャーＡをケレップ５の軸芯６に軸着した状態を示す正面図であり、図２は、縦断面図である。図１、図２から明らかなように、ヘアキャッチャーＡは、ケレップ５の中心から下方に垂下した軸芯６に摺動自在に軸着され、上記軸芯６が挿通する筒軸４と、この筒軸４に放射状に設けられた捕集リブ１とフランジ部２と係止部３とからなり、上記軸芯６の下端には、ケレップ５を排水口に嵌着させるための錘５２が軸芯６と一体的に垂設されている。また、上記ケレップ５の排水口への嵌入部の周囲には、シール性を向上させるため、合成ゴム製のＯリング５１が周設されている。
【００１１】
図１、図２からよくわかるように、捕集リブ１は中心部から外周方向に向かって下方に傾斜する傾斜部１１と垂直部１２とからなり、洗面ボウルからの排水は、毛髪やごみ等を捕集リブ１で取り除いた後、排水流出部１３から流出する。図３は、上記ケレップ５を洗面ボウルの排水口７に嵌着するとともに、ヘアキャッチャーＡを取付けた状態を示す部分縦断面図である。図３からよくわかるように、ヘアキャッチャーＡは、その係止部３を排水口管８の内部に周設されたストッパー８１に係合するとともに、軸芯６に沿って上下に摺動自在とされている。また、上記排水口管８には、洗面ボウルからのオーバーフロー水を流すためのオーバーフロー管８２が接続されている。
【００１２】
図３によく示されているように、捕集リブ１で捕集された毛髪やごみ等は、傾斜部１１の傾斜面に沿って滑り落ち、垂直部１２に沿って下がるとともに、フランジ部２の上面に堆積する。そのため、捕集リブ１の排水用開口部が塞がれることはなく、毛髪やごみ等の捕集率を下げずに十分に排水能力を確保することができる。フランジ部２上に堆積した毛髪やごみ等は、ケレップ５を引き上げて容易に除去できるとともに、除去後は、ケレップ５を排水口７に嵌入すれば、錘５２の重さによって下方に引っ張られ、再び、しっかりと、嵌着することができる。
【００１３】
なお、錘５２の下面にはレリーズワイヤ９が連結されており、図示しない洗面ボウルのカウンターに配置された操作つまみ９２を操作することにより、ケレップ５の開閉操作をインナーワイヤ９１によって簡単に行なうことができる。
【図面の簡単な説明】
【００１４】
【図１】本発明にかかるヘアキャッチャーをケレップに軸着した状態を示す正面図である。
【図２】本発明にかかるヘアキャッチャーをケレップに軸着した状態を示す縦断面図である。
【図３】本発明にかかるヘアキャッチャーを排水口に取付けた状態を示す部分縦断面図である。
【符号の説明】
【００１５】
Ａ          本発明にかかるヘアキャッチャー
１          捕集リブ
１１        傾斜部
１２        垂直部
１３        排水流出部
２          フランジ部
３          係止部
４          筒軸
５          ケレップ
５１        Ｏリング
５２        錘
６          軸芯
７          排水口
８          排水口管
８１        ストッパー
８２        オーバーフロー管
９          レリーズワイヤ
９１        インナーワイヤ
９２        操作つまみ
【図１】
2005336780.tif 000003
【図２】
2005336780.tif 000004
【図３】
2005336780.tif 000005